(57)【要約】【課題】縦型の膜モジュールユニットを天井の低い場所であっても設置可能にする。【解決手段】縦型の膜モジュールユニット１０を収容したハウジング２はハウジング保持部３により保持されている。このハウジング保持部３は、処理水を抽出するとき膜モジュールユニット１０の長手方向がほぼ鉛直方向に位置決めし、膜モジュールユニット１０をハウジング２から取り出すとき膜モジュールユニット１０の長手方向がほぼ水平方向に位置決めできるようにハウジング２を傾動可能に保持している。【選択図】図１
2007307509.tif 000002
【特許請求の範囲】
【請求項１】
内部に被処理水が供給されるハウジングと、
該ハウジング内に取り出し可能に収容された、該ハウジング内の被処理水をろ過処理して処理水を抽出する膜モジュールユニットと、
前記ハウジングを、前記膜モジュールユニットの長手方向がほぼ鉛直になる位置と、前記膜モジュールユニットの長手方向がほぼ水平になる位置との間で傾動可能に保持するハウジング保持部と
を備えたことを特徴とする水処理装置。
【請求項２】
前記膜モジュールユニットが、膜モジュールと、該膜モジュールを保持する保持体と、該保持体に設けられた前記ハウジングの内壁面に当接して該内壁面上を移動可能な当接部材とを備えたものであることを特徴とする請求項１記載の水処理装置。
【請求項３】
前記保持体が、
前記膜モジュールの長手方向に延びてほぼ中心に位置する、前記膜モジュールに向かって高圧水を噴射する中心パイプと、
該中心パイプに支持された、前記膜モジュールを該中心パイプの周囲に位置させて保持する膜モジュール保持部と、
前記中心パイプに支持された、前記当接部材を保持する当接部材保持部と
を備えていることを特徴とする請求項２記載の水処理装置。
【請求項４】
前記当接部材保持部が、前記中心パイプの長手方向の一端側と他端側とに設けられており、該一端側の当接部材保持部と他端側の当接部材保持部とが、前記膜モジュールに向かって気体を噴射する、該膜モジュールの長手方向に延びた気体供給パイプにより連結されていることを特徴とする請求項３記載の水処理装置。
【請求項５】
前記ハウジング保持部が、回転可能に設置されていることを特徴とする請求項１から４のいずれか１項記載の水処理装置。
【請求項６】
前記ハウジング保持部が、水平方向にスライド可能に設置されていることを特徴とする請求項１から５のいずれか１項記載の水処理装置。
【発明の詳細な説明】
【技術分野】
【０００１】
本発明は、中空糸膜モジュールを用いて水処理を行う水処理装置に関するものである。
【背景技術】
【０００２】
有機系の汚水処理や下水処理・廃水処理を行う水処理装置として、ハウジング内に中空糸膜モジュールを収容し、この中空糸膜モジュールを用いたろ過処理を行う方法が用いられている。この中空糸膜モジュールの構造として様々な構造が提案されており、そのうち中空糸膜モジュールの長手方向が鉛直になるようにハウジング内に配置する構造を有するいわゆる縦型の中空糸膜モジュールが用いられることがある。
【０００３】
上述した縦型の中空糸膜モジュールの交換作業や点検作業を行うとき、一般的に中空糸膜モジュールを鉛直方向に引き上げてハウジングから取り出すようになっている。ここで、中空糸膜モジュールを持ち上げる高さを低く抑えるべく、中空糸膜モジュールを長手方向に複数の部材に分割可能なハウジング内に収容する構造が提案されている（たとえば特許文献１参照）。特許文献１において、中空糸膜モジュールはカートリッジ内に収容されており、このカートリッジがハウジング内に収容されている。ハウジングは３つ以上の部材を連結した構造を有しており、ハウジングから中空糸膜モジュールを取り外すとき、ハウジングを構成する上側の２つの部材と下側の筒状の部材との連結状態を解除し、上側の２つの部材とともにカートリッジおよび中空糸膜モジュールを鉛直方向に引き抜くことにより行われる。
【特許文献１】特開２００５−２２４７９６号公報
【発明の開示】
【発明が解決しようとする課題】
【０００４】
しかし、特許文献１において、中空糸膜モジュールを引き上げる高さを低くすることができるとはいえ、依然として中空糸膜モジュールを交換する際にはカートリッジをハウジングの上部へ引き抜く必要がある。このため、ハウジングと天井との間にはカートリッジを引き抜くためのスペースが必要になってしまい、天井の低い場所に縦型の中空糸膜モジュールを設置できない場合が生じてしまうという問題がある。
【０００５】
そこで、本発明は、天井の低い場所に設置可能な縦型の膜モジュールユニットを用いた水処理装置を提供することを目的とするものである。
【課題を解決するための手段】
【０００６】
本発明の水処理装置は、内部に被処理水が供給されるハウジングと、ハウジング内に取り出し可能に収容された、ハウジング内の被処理水をろ過処理して処理水を抽出する膜モジュールユニットと、ハウジングを、膜モジュールユニットの長手方向がほぼ鉛直になる位置と、膜モジュールユニットの長手方向がほぼ水平になる位置との間を傾動可能に保持するハウジング保持部とを備えたことを特徴とするものである。
【０００７】
ここで、膜モジュールユニットは、ハウジング内から取り出し可能なものあればどのような構成であってもよく、たとえば膜モジュールと、膜モジュールを保持する保持体と、保持体に設けられたハウジングの内壁面に当接して内壁面上を移動可能な当接部材とを備えたものであってもよい。
【０００８】
さらに、保持体は、膜モジュールの長手方向に延びてほぼ中心に位置する、膜モジュールに向かって高圧水を噴射する中心パイプと、中心パイプに支持された、膜モジュールを中心パイプの周囲に位置させて保持する膜モジュール保持部と、中心パイプに支持された、当接部材を保持する当接部材保持部とを備えているものであってもよい。
【０００９】
また、当接部材保持部が、中心パイプの長手方向の一端側と他端側とに設けられており、一端側の当接部材保持部と他端側の当接部材保持部とが、膜モジュールに向かって気体を噴射する、膜モジュールの長手方向に延びた気体供給パイプにより連結されていてもよい。
【発明の効果】
【００１０】
本発明の水処理装置によれば、内部に被処理水が供給されるハウジングと、ハウジング内に取り出し可能に収容された、ハウジング内の被処理水をろ過処理して処理水を抽出する膜モジュールユニットと、ハウジングを、膜モジュールユニットの長手方向がほぼ鉛直になる位置と、膜モジュールユニットの長手方向がほぼ水平になる位置との間を傾動可能に保持するハウジング保持部とを備えたことにより、ハウジング内の膜モジュールを取り出す際、ハウジングを横倒しにした状態で膜モジュールを水平方向に引き出すことが可能になるため、ハウジングの上方に膜モジュールを引き出すための空間が不要となり、天井の低い場所にも縦型の膜モジュールを用いた水処理装置を設置することができる。さらに、天井の低い場所に新たに水処理装置を設置するとき、ハウジング２の長手方向が水平になった状態でハウジング保持部３を地面に設置し、ハウジング２の長手方向を鉛直方向に立てるだけで設置することができるため、従来のようなたとえば天井に穴を開けてその穴から水処理装置を設置するような大がかりな工事をせずに効率的に水処理装置の設置を行うことができる。
【００１１】
なお、膜モジュールユニットが、膜モジュールと、膜モジュールを保持する保持体と、保持体に設けられたハウジングの内壁面に当接して内壁面上を移動可能な当接部材とを備えたものであるとき、ハウジングから膜モジュールを取り出すときに、膜モジュールユニットは当接部材により支持されながらハウジングから引き出されることになるため、膜モジュールユニットの取り出しをスムーズに行うことが出来る。また、ハウジングが傾動したときであっても当接部材がハウジング内の膜モジュールの移動を制限し、膜モジュールがハウジングの内壁面に接触することによる破損等を防止することができる。
【００１２】
また、保持体が、膜モジュールの長手方向に延びてほぼ中心に位置する、膜モジュールに向かって高圧水を噴射する中心パイプと、中心パイプに支持された、膜モジュールを中心パイプの周囲に位置させて保持する膜モジュール保持部と、中心パイプに支持された、当接部材を保持する当接部材保持部とを備えたものであれば、中心パイプにより膜モジュールの長手方向に対する保持強度を補強しながら、中心パイプから噴射する高圧水により膜モジュール表面の洗浄を行うことができる。
【００１３】
さらに、当接部材保持部が、中心パイプの長手方向の一端側と他端側とに設けられており、一端側の当接部材保持部と他端側の当接部材保持部とが、膜モジュールに向かって気体を噴射する、膜モジュールの長手方向に延びた気体供給パイプにより連結されているものであるとき、気体供給パイプにより膜モジュールの長手方向に対する強度を補強しながら、気体による膜モジュール表面の洗浄効果を得ることができる。
【発明を実施するための最良の形態】
【００１４】
以下、図面を参照して本発明の水処理装置の好ましい実施の形態を詳細に説明する。図１は本発明の水処理装置の好ましい実施の形態を示す外観図、図２はハウジング２から膜モジュールユニット１０を取り出した状態の斜視図、図３はハウジング２の開口部４側からみた膜モジュールユニット１０の様子を示す模式図であり、図１から図３を参照して水処理装置１について説明する。
【００１５】
水処理装置１はたとえば有機系の汚水からなる被処理水に縦型の膜モジュールを用いてろ過処理を施し処理水を抽出するものであって、膜モジュールユニット１０を収容した、上部に膜モジュールユニット１０を取り出すための開口部４を有するハウジング２と、ハウジング２の下部に接続されたハウジング２を傾動可能に保持するハウジング保持部３とを備えている。
【００１６】
ハウジング２は、鉛直方向（矢印Ｚ方向）に延びた筒状の形状を有しており、内部に膜モジュールユニット１０が収容されている。ハウジング２の下部には被処理水をハウジング２内に供給する供給口２ａが設けられており、膜モジュールユニット１０が供給口２ａからハウジング２内に供給される被処理水をろ過処理し処理水を排出するようになっている。なお、ハウジング２の上部にはクロスフロー用の排出口２ｂが設けられており、排出口２ｂから処理水が図示しない処理水貯蔵槽に戻るようになっている。また、ハウジング２の上部には開口部４を開閉する蓋５が設けられており、図２のように膜モジュールユニット１０はこの開口部４から挿入もしくは取り出し可能に構成されている。また、ろ過処理時には図１のように開口部４が蓋５により閉じられてハウジング２内が密閉される。
【００１７】
ハウジング２はハウジング保持部３により保持されている。ハウジング保持部３はベース３ａと、ハウジング２の外壁に固定された軸３ｂと、軸３ｂを回転可能に保持するベース３ａに固定された軸受３ｃとを備えている。これにより、ハウジング２は軸３ｂを中心として、長手方向がほぼ鉛直になる位置（図１に示す位置）とほぼ水平になる位置（図２に示す位置）との間を矢印Ｒ方向に傾動することになる。ここで、ろ過処理時には図１のようにハウジング２をその長手方向（膜モジュール２０の長手方向）がほぼ鉛直になるようにハウジング保持部３で保持させる。一方、膜モジュールユニット１０を取り出すときは、図２のようにハウジング２をその長手方向（膜モジュール２０の長手方向）がほぼ水平になるようにハウジング保持部３で保持させる。なお、ハウジング２の上部には図示しないワイヤー等が接続されており、このワイヤー等を介して常時図１中の矢印Ｐ方向に引張力を作用させるようにしておけば、ハウジング２の傾動を容易に行うことができる。
【００１８】
図４は図３におけるＩＶ−ＩＶ断面を示す断面図、図５は図３におけるＶ−Ｖ断面を示す断面図であり、図２から図５を参照して膜モジュールユニット１０について説明する。なお、図５において膜モジュール２０の部分の図示を省略している。膜モジュールユニット１０は、ハウジング２内に供給された被処理水をろ過処理し処理水を抽出するものであって、複数の膜モジュール２０と、膜モジュール２０を保持する保持体４０と、保持体４０に設けられたハウジング２の内壁面に当接して内壁面上を移動可能な当接部材１７とを備えている。また、上記保持体４０は、膜モジュール２０の長手方向に延びてほぼ中心に位置する、膜モジュール２０に向かって高圧水を噴射する中心パイプ１１と、中心パイプ１１に支持された、膜モジュール２０を中心パイプ１１の周囲に位置させて保持する膜モジュール保持部１４Ｕ、１４Ｄと、中心パイプ１１に支持された、当接部材１７Ｕ、１７Ｄを保持する当接部材保持部４１Ｕ、４１Ｄとを備えている。
【００１９】
膜モジュールユニット１０はたとえばハウジング２の中心に対し対称になるように配置された４つの膜モジュール２０を有しており、各膜モジュール２０はたとえば外径約０．３ｍｍ〜３ｍｍ、長さ約２ｍの多数の中空糸膜をその両端において樹脂等により集束した構造を有している。各膜モジュール２０は膜モジュール保持部１４Ｕ、１４Ｄに着脱可能に保持されている。具体的には、各膜モジュール２０はそれぞれ上端側が上部保持部１４Ｕにバンドカップリング等を用いて着脱可能に固定されており、下端側が下部保持部１４Ｄに嵌め合わせ等により着脱可能に固定されている。
【００２０】
ここで、上部保持部１４Ｕは処理水パイプ１３を介して中心パイプ１１に固定されたジョイント部１２に接続されており、膜モジュール２０によりろ過処理された処理水は処理水パイプ１３およびジョイント部１２を介して抽出されるようになっている。一方、下部保持部１４Ｄ内には膜モジュール２０の下部から気体（空気）を供給する散気手段１８が配置されている。なお、下部保持部１４Ｄにおいて、散気手段１８と膜モジュール２０との間に空気溜まり部１８ａが形成されており、散気手段１８から膜モジュール２０へ気体が均一に吹き出すようになっている。上部保持部１４Ｕは処理水パイプ１３を介して中心パイプ１１に支持され、下部保持部１４Ｄは連結ロッド１４ａを介して中心パイプ１１に支持されている。なお、図２では連結ロッド１４ａの図示を省略している。
【００２１】
ここで、各膜モジュール２０は上部保持部１４Ｕおよび下部保持部１４Ｄにより、ハウジング２の長手方向に対しほぼ平行になるように位置決めされるようになっている。上述のように、ハウジング２はハウジング保持部３によりろ過処理時において長手方向がほぼ鉛直になるように保持されるため、各膜モジュール２０がろ過処理時には長手方向がほぼ鉛直になるように位置決めされることになる。これにより、いわゆる縦型の膜モジュール２０のろ過性能を最大限に引き出すことができる。
【００２２】
中心パイプ１１はハウジング２のほぼ中心に各膜モジュール２０に囲まれるように位置している。中心パイプ１１は表面に多数の貫通孔１１ａを有する二重管からなっており、たとえば中心パイプ１１の内管１１ｂは気体供給管４３に接続されており、外管１１ｃは高圧水供給管４４に接続されている。そして、各膜モジュール２０を洗浄する際、高圧水が中心パイプ１１に供給され、膜モジュール２０へ貫通孔１１ａから高圧水を噴射するようになっている。すなわち、中心パイプ１１は高圧水供給パイプとして機能する。なお、中心パイプ１１は高圧水だけでなく気体も噴射する構造を有していても良い。
【００２３】
中心パイプ１１にはその上部および下部に上部ジョイント部１５Ｕおよび下部ジョイント部１５Ｄが固定されており、上部ジョイント部１５Ｕおよび下部ジョイント部１５Ｄにはそれぞれ中心パイプ１１を中心として半径方向に延びる４本の当接部材保持部４１Ｕ、４１Ｄが固定され、中心パイプ１１の上部側の上部当接部材保持部４１Ｕと下部側の下部当接部材保持部４１Ｄとは膜モジュール２０の長手方向に延びた気体供給パイプ１６により連結されている。各気体供給パイプ１６は、長手方向に沿って多数の貫通孔１６ａを有しており、気体を膜モジュール２０の側面へ噴射するようになっている。ここで、下部当接部材保持部１４Ｄはパイプにより構成されており、気体供給パイプ１６から供給される気体は、中心パイプ１１から下部ジョイント部１５Ｄ、下部当接部材保持部１４Ｄを介して各気体供給パイプ１６に送られる。気体供給パイプ１６を設けることにより保持体４０全体の長手方向に対する強度を補強しながら、気体による膜モジュール２０表面の洗浄を行うことができる。
【００２４】
各当接部材保持部４１Ｕ、４１Ｄのハウジング２側にはハウジング２の内壁面２ｃに当接して膜モジュールユニット１０を支持するとともにハウジング２の内壁面２ｃ上を内壁面２ｃに当接状態で移動可能な当接部材１７Ｕ、１７Ｄが取り付けられている。この当接部材１７Ｕ、１７Ｄはたとえばローラー等からなっており、ハウジング２から膜モジュール２０を取り出すときに、ハウジング２の内壁面２ｃに付着物があった場合でも膜モジュールユニット１０の取り出しをスムーズに行うことができるようになっている。また、図３に示されているように、ハウジング２の中心から半径方向の位置を見たとき、当接部材１７は膜モジュール２０の最外側部よりもさらに外側に位置して膜モジュール２０とハウジング２との間に空隙を形成するようになっているため、膜モジュールユニット１０の移動時もしくはハウジング２の傾動時に膜モジュールユニット１０がハウジング２に接触して破損するのを防止することができる。
【００２５】
図６から図８はハウジング２内の膜モジュール２０を交換するときの一例を示す模式図であり、図１から図８を参照して膜モジュール２０の交換作業の一例について説明する。まず、図６において、ハウジング２の長手方向がほぼ鉛直方向（矢印Ｚ方向）に立っている状態からハウジング２が軸３ｂを中心として傾動する。すると、ハウジング２の長手方向がほぼ鉛直方向に立っている状態からほぼ水平方向に倒した状態になる。そして、図７に示すように、蓋５が開けられハウジング２に収容された膜モジュールユニット１０が取り出し可能な状態になる。なお、ハウジング２を横倒しにしたとき開口部４側に荷重がかかるため、ハウジング２の上部を支持パイプ等の支持部材３０、３１で支持可能とすべく、ハウジング２の上部および膜モジュールユニット１０の先端部分に支持部材受け部３０ａ、３１ａを設けるようにしても良い。
【００２６】
そして、図８のように、膜モジュールユニット１０がハウジング２から水平方向（矢印Ｙ方向）に引き出される。このとき、当接部材１７Ｕ、１７Ｄがハウジング２の内壁面２ｃに接触し回転し膜モジュールユニット１０が移動することになるため、膜モジュールユニット１０をハウジング２からスムーズに引き出すことができる。そして、引き出した膜モジュールユニット１０の膜モジュール２０の交換または点検が行われる。なお、当接部材１７Ｕ、１７Ｄは必ずしもローラーのように回転するものである必要はなく、たとえば固定された球体のように、略点接触でハウジング２の内壁面２ｃ上を摺接するものであってもよい。
【００２７】
図５に示されているように、ハウジング２の内壁面上部には内方に突出した突出部２ｄが形成されており、上部当接部材保持部４１Ｕに取り付けられた上部当接部材１７Ｕはこの突出部２ｄに当接してあり、下部当接部材保持部４１Ｄに取り付けられた下部当接部材１７Ｄは突出部２ｄよりも一段低くなっているハウジング内壁面２ｃに当接している。この構成により、膜モジュールユニット１０を引き出すとき、下部当接部材１７Ｄが突出部２ｄの端部２ｅに突き当たり、この端部２ｅがストッパーとして機能して膜モジュールユニット１０の抜け出しが防止される。なお、図２においては説明の都合上膜モジュールユニット１０を抜き出した状態で図示している。
【００２８】
上記実施の形態によれば、ハウジング保持部３がろ過処理時には膜モジュール２０の長手方向が鉛直方向になるように保持し、膜モジュール２０の交換時にハウジング２の長手方向を水平方向に倒すことにより、交換時に膜モジュールユニット１０を鉛直方向（矢印Ｚ方向）に引き上げる必要がないため、天井の低い場所であっても縦型の膜モジュール２０を用いた水処理装置を設置することができる。
【００２９】
すなわち、従来のように、縦型の膜モジュール２０の場合、膜モジュール２０の交換作業はハウジング２から鉛直方向に引き上げることにより行われていたため、鉛直方向に膜モジュールユニット１０を引き上げるためのスペースが必要であるとともに、膜モジュールユニット１０を引き上げるだめの重機が必要であった。一方、図６から図８に示すように、ハウジング２を横倒し可能な構造を有していれば、膜モジュールユニット１０を水平方向に引き出すことができるため、低い天井の場所にも縦型の膜モジュール２０を用いた水処理装置１を設置することができるとともに、膜モジュール２０の取り出し作業を容易に行うことができる。さらに、ハウジング２から膜モジュールユニット１０を引き出すとき、水平方向（矢印Ｙ方向）へ引き出すようにしているため、従来のように重機を用いて鉛直方向に持ち上げる場合に比べて格段に作業効率を向上させることができる。
【００３０】
本発明の実施形態は上記実施形態に限定されない。たとえばハウジング保持部３は、軸と軸受とにより傾動可能な構造を構成する場合について例示しているがさらにギア等を備えた構造としても良い。たとえば軸受け３ｃにハウジング２の傾動を行うためのギアを設置し、このギアにモータ等の駆動手段に回転可能に接続されたギアにかみ合わせ、駆動手段の駆動によりハウジング２が傾動するようにしてもよい。
【００３１】
また、図６から図８において、ハウジング保持部３はハウジング２の長手方向がほぼ水平になるまで傾動する機構を有する場合について例示しているが、ハウジング２の長手方向と鉛直方向（矢印Ｚ方向）とが鈍角になる位置までさらにハウジング２を倒せるような機構を有するものであってもよい。
【００３２】
さらに、図２において膜モジュールユニット１０が４つの膜モジュール２０を有する場合について例示しているが、１つの膜モジュール２０を有するものであっても良いし、２つ以上有するものであってもよい。
【００３３】
また、図２の各膜モジュール２０が両端において樹脂等により集束されている構造を有する場合について例示しているが、ろ過処理時において長手方向をほぼ鉛直にする構造を有するものであれば、いわゆるＵ字型の膜モジュール２０等を用いることもできる。
【００３４】
さらに、上記実施の形態において、ハウジング２の長手方向をほぼ鉛直にした状態でろ過処理を行う場合について例示しているが、長手方向をほぼ水平にした状態でろ過処理を行うようにしても良い。このとき、膜モジュールユニット１０を水平方向に引き出して交換等を行うようにしても良いし、ハウジング２をほぼ鉛直にした後、鉛直方向に引き出して交換等を行うようにしても良い。たとえばハウジング２の長手方向をほぼ水平にして床下に埋め込みこの状態でろ過処理を行うようにし、膜モジュール２０の交換作業時にハウジング２をほぼ鉛直に立てるようにしても良い。
【００３５】
また、図９に示すように、ハウジング保持部３が、床や地面等に回転可能に設置されていてもよい。具体的には、ハウジング保持部３のベースが床等に回転可能に固定された軸３ｄに接続されており、ベース３ａの裏面側に設けられたキャスター等が設けられている。これにより、ベース３ａは床や地面に対して矢印Ｒ１０方向に回転可能に設置されることになる。そして、ハウジング２から膜モジュールユニット１０が取り出されるときに、ベース２が矢印Ｒ１０方向に回転し、その後ハウジング２が矢印Ｘ方向に倒されることになる（図６参照）。これにより、たとえば水処理装置１を廊下に設置した場合のような、ハウジング２を倒したときの長手方向および膜モジュールユニット１０の引き出し方向（図９における矢印Ｙ方向）にスペースがないとき、回転保持部３ｄによりハウジング２を倒したときの長手方向および膜モジュールユニット１０の引き出し方向をスペースの余裕のない矢印Ｙ方向からスペースの余裕のある矢印Ｘ方向にすることができる。よって、鉛直方向（矢印Ｚ方向）のみならず、矢印Ｙ方向あるいは矢印Ｘ方向のいずれかにおいて交換スペースの制限がある場合であっても、上述した水処理装置１を設置し、効率的な膜モジュール２０の交換・点検を行うことができる。
【００３６】
さらに、図１０に示すように図９の水処理装置１を複数並べて設置したときに、各水処理装置１が他の隣接する水処理装置１に干渉せずにハウジング２を倒すことができるようにするため、ハウジング保持部３が、水平方向（矢印Ｙ方向）にスライド可能に設置されていてもよい。具体的には、ベース３ａがたとえばレール１０４ａ上に配置されており、レール１０４ａに沿ってスライドするようになっている。また、ベース３ａはターンテーブル等からなる回転保持部（図示せず）により保持されており、ハウジング２の略中心に対し矢印Ｒ１０方向に回転するようになっている。
【００３７】
そして、ハウジング２から膜モジュールユニット１０が取り出されるときに、ベース２がレール１０４ａに沿って矢印Ｙ方向に移動し、その後回転保持部により矢印Ｒ１０方向に回転し、ハウジング２が矢印Ｘ方向に倒されるようになる（図６参照）。これにより、上述のように、膜モジュールユニット１０の引き出し方向をスペースの余裕のない矢印Ｙ方向からスペースの余裕のある矢印Ｘ方向にすることができるとともに、複数の水処理装置１を並べて設置したときにも、ハウジング２を余裕のある方向に倒し効率的に膜モジュール２０の交換等を行うことができる。
【００３８】
なお、図１０において、ベース３ａの向きを変えるのに回転保持部を用いた場合について例示しているが、ベース３ａをレール１０４ｂに沿って移動させることにより、ハウジング２が倒れる向きを変えるようにしても良い。
【図面の簡単な説明】
【００３９】
【図１】本発明の水処理装置の好ましい実施の形態を示す外観図
【図２】図１の水処理装置においてハウジングから膜モジュールユニットを取り出した状態を示す斜視図
【図３】図１のハウジングの開口部から見たハウジング内部の様子を示す模式図
【図４】図３のＩＶ−ＩＶ断面の一例を示す断面図
【図５】図３のＶ−Ｖ断面の一例を示す断面図
【図６】図１の水処理装置が傾動する様子を示す模式図
【図７】ハウジングから膜モジュールユニットを取り出す様子を示す模式図
【図８】ハウジングから膜モジュールユニットを取り出す様子を示す模式図
【図９】ベースが回転する様子を示す模式図
【図１０】複数の水処理装置を並べて設置したときに、ベースがスライドおよび回転する様子を示す模式図
【符号の説明】
【００４０】
１     水処理装置
２     ハウジング
３     ハウジング保持部
１０   膜モジュールユニット
１１   中心パイプ（高圧水供給パイプ）
１３   処理水パイプ
１４Ｕ、１４Ｄ 膜モジュール保持部
１６   気体供給パイプ
１７Ｕ、１７Ｄ 当接部材
１８   散気手段
２０   膜モジュール
４０   保持体
４１Ｄ、４１Ｕ 当接部材保持部
【図１】
2007307509.tif 000003
【図２】
2007307509.tif 000004
【図３】
2007307509.tif 000005
【図４】
2007307509.tif 000006
【図５】
2007307509.tif 000007
【図６】
2007307509.tif 000008
【図７】
2007307509.tif 000009
【図８】
2007307509.tif 000010
【図９】
2007307509.tif 000011
【図１０】
2007307509.tif 000012